(57)【要約】      （修正有）【課題】所定の条件を満たす携帯端末からの画像登録を受け付けると共に、所定の条件を満たす携帯端末に対し画像を配信する。【解決手段】携帯端末１との間で画像データの送受信を行う画像管理サーバ２であって、第１所定領域内に位置している第１携帯端末から、第１携帯端末が第１所定領域で撮影した画像を受信する画像受信部と、受信した画像を、画像の撮影場所位置情報と対応付けて記憶する画像記憶部と、画像記憶部から、第２所定領域を示す撮影場所位置情報が対応付けられた画像を取り出し、取り出した画像を、第２所定領域内に位置している第２携帯端末へ送信する画像送信部と、を備える。【選択図】図１
2019049833.tif 000002
【特許請求の範囲】
【請求項１】
携帯端末との間で画像データの送受信を行う画像管理サーバであって、
第１所定領域内に位置している第１携帯端末から、前記第１携帯端末が前記第１所定領域で撮影した画像を受信する画像受信部と、
受信した前記画像を、前記画像の撮影場所位置情報と対応付けて記憶する画像記憶部と、
前記画像記憶部から、第２所定領域を示す撮影場所位置情報が対応付けられた画像を取り出し、取り出した画像を、前記第２所定領域内に位置している第２携帯端末へ送信する画像送信部と、
を備える画像管理サーバ。
【請求項２】
前記画像記憶部は、前記画像を、前記画像の撮影日時情報と対応付けて記憶し、
前記画像送信部は、前記画像記憶部から、前記第２所定領域を示す撮影場所位置情報、及び所定の時期を示す撮影日時情報が対応付けられた画像を取り出し、前記第２携帯端末へ送信することを特徴とする請求項１に記載の画像管理サーバ。
【請求項３】
前記画像受信部は、他端末から、画像と、この画像の位置情報とを受信し、
前記画像記憶部は、前記端端末から受信した前記画像を、前記位置情報と対応付けて記憶し、
前記画像送信部は、前記画像記憶部から、前記第２所定領域を示す所位置情報が対応付けられた画像を取り出し、取り出した画像を、前記第２所定領域内に位置している第２携帯端末へ送信することを特徴とする請求項１又は２に記載の画像管理サーバ。
【請求項４】
表示部及び撮影部を有する携帯端末と、前記携帯端末と画像データの送受信を行う画像管理サーバとを用いた画像管理方法であって、
第１所定領域内に位置している第１携帯端末が、前記撮影部を用いて前記第１所定領域で撮影を行い、撮影した画像を前記画像管理サーバへ送信し、
前記画像管理サーバが、前記第１携帯端末から受信した画像を、前記画像の撮影場所位置情報と対応付けて記憶部に保存し、
第２携帯端末が第２所定領域内に位置している場合に、前記画像管理サーバが、前記記憶部から、第２所定領域を示す撮影場所位置情報が対応付けられた画像を取り出し、取り出した画像を前記第２携帯端末へ送信し、
前記第２携帯端末が、前記画像管理サーバから受信した画像を前記表示部に表示することを特徴とする画像管理方法。
【請求項５】
現在位置が第１所定領域内であるか否かを判定するステップと、
現在位置が前記第１所定領域内である場合、撮影部を起動し、前記撮影部により撮影された画像を画像管理サーバへ送信するステップと、
現在位置が第２所定領域内であるか否かを判定するステップと、
現在位置が前記第２所定領域内である場合、前記画像管理サーバから、前記第２所定領域で撮影された画像を取得するステップと、
をコンピュータに実行させるプログラム。
【請求項６】
前記画像管理サーバから、画像撮影場所に設置された電波発信機の第１識別情報を受信するステップと、
電波発信機から、前記電波発信機の第２識別情報を含む電波を受信するステップと、
前記第１識別情報と前記第２識別情報とを比較するステップと、
前記第１識別情報と前記第２識別情報とが一致した場合に、現在位置が前記第１所定領域内であると判定するステップと、
をコンピュータに実行させることを特徴とする請求項５に記載のプログラム。
【発明の詳細な説明】
【技術分野】
【０００１】
本発明は、画像管理サーバ、画像管理方法、及びプログラムに関する。
【背景技術】
【０００２】
スマートフォンやタブレット端末等の携帯端末で撮影した画像をサーバに登録し、管理することが行われている。ユーザが、携帯端末を用いてサーバにアクセスし、登録されている画像の中から任意の画像を選択すると、サーバは、選択された画像を携帯端末に対して配信する。従来の画像管理システムでは、ユーザＩＤやパスワードを入力して正規ユーザであることが認証されれば、画像登録や画像閲覧を自由に行うことができた。
【０００３】
サーバへの画像登録やサーバによる画像配信を行う画像管理システムを用いた新たなサービス展開が求められている。
【先行技術文献】
【特許文献】
【０００４】
【特許文献１】特開２０１５−２０１０８２号公報
【発明の概要】
【発明が解決しようとする課題】
【０００５】
本発明は、所定の条件を満たす携帯端末からの画像登録を受け付けると共に、所定の条件を満たす携帯端末に対し画像を配信する画像管理サーバ、画像管理方法、及びプログラムを提供することを目的とする。
【課題を解決するための手段】
【０００６】
本発明の画像管理サーバは、携帯端末との間で画像データの送受信を行う画像管理サーバであって、第１所定領域内に位置している第１携帯端末から、前記第１携帯端末が前記第１所定領域で撮影した画像を受信する画像受信部と、受信した前記画像を、前記画像の撮影場所位置情報と対応付けて記憶する画像記憶部と、前記画像記憶部から、第２所定領域を示す撮影場所位置情報が対応付けられた画像を取り出し、取り出した画像を、前記第２所定領域内に位置している第２携帯端末へ送信する画像送信部と、を備えるものである。
【０００７】
本発明の一態様では、前記画像記憶部は、前記画像を、前記画像の撮影日時情報と対応付けて記憶し、前記画像送信部は、前記画像記憶部から、前記第２所定領域を示す撮影場所位置情報、及び所定の時期を示す撮影日時情報が対応付けられた画像を取り出し、前記第２携帯端末へ送信する。
【０００８】
本発明の一態様では、前記画像受信部は、他端末から、画像と、この画像の位置情報とを受信し、前記画像記憶部は、前記端端末から受信した前記画像を、前記位置情報と対応付けて記憶し、前記画像送信部は、前記画像記憶部から、前記第２所定領域を示す所位置情報が対応付けられた画像を取り出し、取り出した画像を、前記第２所定領域内に位置している第２携帯端末へ送信する。
【０００９】
本発明の画像管理方法は、表示部及び撮影部を有する携帯端末と、前記携帯端末と画像データの送受信を行う画像管理サーバとを用いた画像管理方法であって、第１所定領域内に位置している第１携帯端末が、前記撮影部を用いて前記第１所定領域で撮影を行い、撮影した画像を前記画像管理サーバへ送信し、前記画像管理サーバが、前記第１携帯端末から受信した画像を、前記画像の撮影場所位置情報と対応付けて記憶部に保存し、第２携帯端末が第２所定領域内に位置している場合に、前記画像管理サーバが、前記記憶部から、第２所定領域を示す撮影場所位置情報が対応付けられた画像を取り出し、取り出した画像を前記第２携帯端末へ送信し、前記第２携帯端末が、前記画像管理サーバから受信した画像を前記表示部に表示するものである。
【００１０】
本発明のプログラムは、現在位置が第１所定領域内であるか否かを判定するステップと、現在位置が前記第１所定領域内である場合、撮影部を起動し、前記撮影部により撮影された画像を画像管理サーバへ送信するステップと、現在位置が第２所定領域内であるか否かを判定するステップと、現在位置が前記第２所定領域内である場合、前記画像管理サーバから、前記第２所定領域で撮影された画像を取得するステップと、をコンピュータに実行させるものである。
【００１１】
本発明の一態様では、前記画像管理サーバから、画像撮影場所に設置された電波発信機の第１識別情報を受信するステップと、電波発信機から、前記電波発信機の第２識別情報を含む電波を受信するステップと、前記第１識別情報と前記第２識別情報とを比較するステップと、前記第１識別情報と前記第２識別情報とが一致した場合に、現在位置が前記第１所定領域内であると判定するステップと、をコンピュータに実行させる。
【発明の効果】
【００１２】
本発明によれば、所定の条件を満たす携帯端末からの画像登録を受け付けると共に、所定の条件を満たす携帯端末に対し画像を配信することができる。
【図面の簡単な説明】
【００１３】
【図１】本発明の実施形態による画像管理システムの概略図である。
【図２】（ａ）（ｂ）は画像閲覧の一例を示す図である。
【図３】同実施形態による携帯端末のハードウェア構成図である。
【図４】携帯端末の機能構成を示すブロック図である。
【図５】同実施形態による画像管理サーバのハードウェア構成図である。
【図６】画像管理サーバの機能構成を示すブロック図である。
【図７】画像登録方法を説明するフローチャートである。
【図８】画像閲覧方法を説明するフローチャートである。
【発明を実施するための形態】
【００１４】
図１は本発明の実施の形態に係る画像管理システムの概略図である。画像管理システムは、携帯端末１及び画像管理サーバ２を備え、所定の撮影条件を満たした携帯端末１で撮影を行うと、撮影画像が画像管理サーバ２にアップロードされ、保存される。携帯端末１は、例えばスマートフォンやタブレット端末等である。
【００１５】
画像管理サーバ２には、撮影画像と共に、撮影場所の位置情報や撮影日時情報等が対応付けて登録される。画像管理サーバ２は、所定の閲覧条件を満たす携帯端末１へ画像を配信し、携帯端末１で画像が閲覧できるようになる。
【００１６】
画像管理サーバ２には、携帯端末１で撮影した画像だけでなく、他の撮影機器で撮影した画像を、位置情報や撮影日時情報と共に、端末４を用いて登録することができる。また、端末４は、撮影画像以外にも、古地図や歴史資料、イラストなど様々な画像を、位置情報や日時情報とともに画像管理サーバ２に登録することができる。
【００１７】
撮影条件及び閲覧条件は、例えば、携帯端末１を所持したユーザＰが所定の場所（領域内）にいることである。
【００１８】
例えば、ユーザが所定の場所に赴くと、ユーザが所有する携帯端末１が、その場所に設置されている無線ＬＡＮ（Local  Area  Network）のアクセスポイント３から、このアクセスポイント３の識別子（例えばSSID：Service  Set  Identifier）を含む信号を受信する。
【００１９】
携帯端末１は、画像管理サーバ２から、撮影条件として規定された場所に設置されたアクセスポイントの識別子、及び閲覧条件として規定された場所に設置されたアクセスポイントの識別子を予め受信している。携帯端末１は、アクセスポイント３から受信した信号に含まれる識別子と、画像管理サーバ２から受信した識別子とを比較する。
【００２０】
アクセスポイント３からの信号に含まれる識別子と、撮影条件に対応する識別子とが一致している場合、携帯端末１のカメラが起動し、撮影が行えるようになる。撮影を行うと、携帯端末１は、撮影画像を画像管理サーバ２へ送信する。
【００２１】
アクセスポイント３からの信号に含まれる識別子と、閲覧条件に対応する識別子とが一致している場合、携帯端末１は識別子が一致したことを画像管理サーバ２に通知する。画像管理サーバ２が携帯端末１へ画像を配信すると、携帯端末１のディスプレイで画像を閲覧することができるようになる。配信される画像は、例えば、閲覧条件として規定された場所で過去に撮影され、画像管理サーバ２にアップロードされた画像である。
【００２２】
撮影条件として規定された場所と、閲覧条件として規定された場所とは同じであってもよい。携帯端末１は、アクセスポイント３からの信号に含まれる識別子と、撮影条件及び閲覧条件に対応する識別子とが一致すると、撮影を行うか、又は画像を閲覧するかの選択をユーザＰから受け付け、選択された処理を行う。
【００２３】
携帯端末１を所持したユーザＰの位置の検出は、アクセスポイント３の識別子を用いたものに限定されず、ビーコン端末から送信される信号に含まれる識別情報を用いてもよいし、ＧＰＳ（Global  Positioning  System）による位置情報を用いてもよい。携帯端末１から画像管理サーバ２への通信は、通常の無線通信（移動通信、例えば４Ｇネットワーク）を介したものでもよいし、アクセスポイント３を用いた無線ＬＡＮを介したものでもよい。
【００２４】
撮影条件及び閲覧条件は、場所だけでなく、日時を含んでいてもよい。これにより、画像のアップロードや閲覧が可能となる場所及び時期を制限することができる。
【００２５】
携帯端末１による撮影画像が、Ｅｘｉｆ（登録商標）（Exchangeable  Image  File  Format）に準拠した形式の場合は、画像ファイルに含まれる撮影日時情報及びＧＰＳ位置情報を用いてもよい。
【００２６】
このように、本実施形態によれば、画像管理サーバ２は、所定の撮影条件で指定された第１領域に存在する携帯端末１から撮影画像の登録を受け付けると共に、所定の閲覧条件で指定された第２領域に存在する携帯端末１に対し、第２領域で過去に撮影された画像を配信することができる。
【００２７】
このような画像管理システムを使用することで、例えば、ユーザＰが、過去に訪れて撮影を行い、撮影画像をアップロードした場所に再訪した際、アップロードした撮影画像が画像管理サーバ２から携帯端末１へ配信され、閲覧することが可能となる。ユーザＰは、この場所を過去に訪れた時のことを思い出し、懐かしむことができる。
【００２８】
ユーザＰ自身が撮影してアップロードした画像だけではなく、他ユーザが撮影してアップロードした画像も配信できる。そのため、例えば、ユーザＰが所定の場所へ昼間に行った際、他ユーザがその場所で夜間に撮影してアップロードした画像が配信されると、図２（ａ）に示すように、ユーザＰはその場所の夜景を携帯端末１で閲覧することができる。
【００２９】
所定の場所の建造物Ｂ（図１参照）の建築途中の画像が、建造物Ｂの位置情報と共に、端末４から画像管理サーバ２にアップロードされている場合、ユーザＰが所定の場所へ行くと、図２（ｂ）に示すように、建造物Ｂの建築途中の画像が配信され、携帯端末１で閲覧することができる。ＡＲ技術を用いて、建築途中の建造物Ｂの画像を重ねて携帯端末１のディスプレイに表示してもよい。
【００３０】
図３は携帯端末１のハードウェア構成例を示す。携帯端末１は、ＣＰＵ１０（演算制御部）、記憶部１１、操作表示部１２、撮影部１４、ＧＰＳ受信部１５、及び通信部１６を有する。
【００３１】
記憶部１１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、画像登録・閲覧プログラムを記憶する。画像登録・閲覧プログラムは、例えばインターネット上のウェブサイトからダウンロードして、携帯端末１に予めインストールされている。また、記憶部１１は、撮影処理により生成された画像データや、画像管理サーバ２から配信された画像データを記憶する。
【００３２】
操作表示部１２は、各種情報を表示すると共に、ユーザからの操作を受け付ける。例えば、操作表示部１２はタッチパネルである。あるいはまた、操作表示部１２は、マウスやキーボード等の操作部と、液晶ディスプレイ等の表示部とを備えるものであってもよい。
【００３３】
撮影部１４は、携帯端末１に内蔵されているデジタルカメラであり、ＣＣＤ（Charged  coupled  devices）センサや、ＣＭＯＳ（Complementary  metal-oxide-semiconductor）センサを用いたものである。
【００３４】
ＧＰＳ受信部１５は、ＧＰＳ衛星から発せられる電波を受信し、ＧＰＳ情報に基づいて、携帯端末１が存在する現在地の位置情報（緯度及び経度）を取得する。
【００３５】
通信部１６は、インターネット等を介して、画像管理サーバ２と通信を行い、画像データの送受信を行う。また、通信部１６は、Ｂｌｕｅｔｏｏｔｈ（登録商標）規格に基づく短距離無線通信機能を有する。
【００３６】
ＣＰＵ１０が画像登録・閲覧プログラムを実行することで、図４に示すように、条件受信部１０１、電波受信部１０２、判定部１０３、撮影処理部１０４、画像送信部１０５、及び画像取得部１０６が実現される。各部の処理については後述する。
【００３７】
図５は、サーバ装置２の概略構成を示す。サーバ装置２は、ＣＰＵ２０（演算制御部）、記憶部２１、及び通信部２２を有する。記憶部２１は、フラッシュメモリ、ＲＯＭ、ＲＡＭ、ハードディスク等の組み合わせであり、画像管理プログラムを記憶する。
【００３８】
ＣＰＵ２０が画像管理プログラムを実行することで、図６に示すように、条件設定部２０１、画像受信部２０２、及び画像送信部２０３が実現され、記憶部２１に画像記憶領域２１０、撮影条件記憶領域２１１、及び閲覧条件記憶領域２１２が生成される。各部の処理については後述する。
【００３９】
次に、図７に示すフローチャートを用いて、本実施形態による画像登録方法を説明する。
【００４０】
画像管理サービスの管理者が、画像の撮影場所の情報を撮影条件として画像管理サーバ２に入力する。入力された撮影条件は、撮影条件記憶領域２１１に格納される。撮影場所情報は、その場所に設置されたアクセスポイント３の識別子でもよいし、その場所のＧＰＳ位置情報（緯度、経度、高度、方角等）でもよい。あるいはその他の撮影条件情報（露光時間、Ｆ値、ＩＳＯ感度、画像の方向など）を入力してもよい。条件設定部２０１は、撮影条件を携帯端末１へ送信する。携帯端末１の条件受信部１０１は撮影条件を受信し、記憶部１１に登録する（ステップＳ１０）。
【００４１】
携帯端末１を所持したユーザＰが撮影条件で指定された場所へ行き、電波受信部１０２がアクセスポイント３から信号を受信する。判定部１０３は、アクセスポイント３からの信号に含まれる識別子と、撮影条件に含まれる識別子とを比較する。識別子が一致する場合、判定部１０３は、携帯端末１を所持したユーザＰが、撮影条件で指定された場所（第１所定領域内）にいると判定する（ステップＳ１１＿Ｙｅｓ）。
【００４２】
判定部１０３は、ＧＰＳ受信部１５による携帯端末１の位置情報と、撮影条件に含まれる位置情報とを比較して、携帯端末１を所持したユーザＰが、撮影条件で指定された場所（第１所定領域内）にいるか否か判定してもよい。
【００４３】
携帯端末１を所持したユーザＰの現在位置が第１所定領域内である場合、撮影処理部１０４が撮影部１４を起動する。ユーザがシャッター操作を行うことで撮影が行われ、撮影画像が生成される（ステップＳ１２）。
【００４４】
画像送信部１０５は、通信部１６を用いて、撮影画像、撮影場所の位置情報、及び撮影日時情報を画像管理サーバ２へ送信する（ステップＳ１３）。撮影場所の位置情報は、アクセスポイント３からの信号に含まれる識別子でもよいし、ＧＰＳによる位置情報であってもよい。
【００４５】
画像管理サーバ２の画像受信部２０２は、携帯端末１から受信した撮影画像に、撮影場所位置情報及び撮影日時情報を対応付けて、画像記憶領域２１０に格納する。このようにして、所定の撮影条件で指定された第１領域に存在する携帯端末１によって撮影された画像を、画像管理サーバ２に登録することができる。
【００４６】
撮影画像に撮影者情報を対応付けて画像記憶領域２１０に格納してもよい。撮影者情報は、例えば、携帯端末１にインストールされている画像登録・閲覧プログラムのアプリＩＤである。
【００４７】
次に、図８に示すフローチャートを用いて、本実施形態による画像閲覧方法を説明する。
【００４８】
画像管理サービスの管理者が、画像の閲覧場所の情報を閲覧条件として画像管理サーバ２に入力する。入力された閲覧条件は、閲覧条件記憶領域２１３に格納される。閲覧場所情報は、その場所に設置されたアクセスポイント３の識別子でもよいし、その場所のＧＰＳ位置情報（緯度、経度、高度、方角等）でもよい。あるいはその他の閲覧条件情報を入力してもよい。条件設定部２０１は、閲覧条件を携帯端末１へ送信する。携帯端末１の条件受信部１０１は閲覧条件を受信し、記憶部１１に登録する（ステップＳ２０）。
【００４９】
携帯端末１を所持したユーザＰが閲覧条件で指定された場所へ行き、電波受信部１０２がアクセスポイント３から信号を受信する。判定部１０３は、アクセスポイント３からの信号に含まれる識別子と、閲覧条件に含まれる識別子とを比較する。識別子が一致する場合、判定部１０３は、携帯端末１を所持したユーザＰが、閲覧条件で指定された場所（第２所定領域内）にいると判定する（ステップＳ２１＿Ｙｅｓ）。
【００５０】
判定部１０３は、ＧＰＳ受信部１５による携帯端末１の位置情報と、閲覧条件に含まれる位置情報とを比較して、携帯端末１を所持したユーザＰが、閲覧条件で指定された場所（第２所定領域内）にいるか否か判定してもよい。
【００５１】
画像取得部１０６が、画像管理サーバ２に対して、現在位置が第２所定領域内であることを通知する。画像管理サーバ２の画像送信部２０３は、画像記憶領域２１０から、撮影場所位置情報が第２所定領域である画像を取り出し、携帯端末１へ配信する（ステップＳ２２）。
【００５２】
画像に対応付けられた撮影者情報に基づいて、過去にユーザＰが撮影・登録した画像のみ携帯端末１へ配信してもよいし、他ユーザが撮影／アップロードした画像を配信してもよい。また、端末４により画像管理サーバ２に登録された古地図、歴史資料、イラストなどの画像を、携帯端末１に配信してもよい。
【００５３】
携帯端末１の画像取得部１０６が、画像管理サーバ２から画像を取得する。取得された画像が携帯端末１の操作表示部１２に表示され、ユーザＰが画像を閲覧する（ステップＳ２３）。
【００５４】
画像の閲覧は、携帯端末１に限定されず、例えば店舗のコンピュータに画像を配信し、配信された画像を店頭に設置されたディスプレイで再生・表示してもよい。
【００５５】
このような画像管理システムは様々なサービスに適用することができる。例えば、新商品のキャンペーンを実施する店舗の場所を撮影条件として設定する。この店舗に設置されたアクセスポイントから信号を受信した携帯端末１で、購入した新商品と共に写真撮影し、撮影画像をアップロードする。撮影画像をアップロードしたユーザの中から抽選を行い、当選したユーザの携帯端末１へクーポンデータを配信する。このようなサービスにより、店舗にユーザを誘導し、新商品の販促を行うことができる。
【００５６】
また、遊園地の場所、及びこの遊園地で花火大会を実施している時間帯を撮影条件及び閲覧条件として設定する。遊園地の花火大会に来場したユーザだけが、写真の撮影、投稿及び閲覧を行うことができる。ユーザが、投稿された撮影画像を閲覧し、投票することで、花火大会来場者だけのフォトコンテストを行うことができる。
【００５７】
また、東京駅が開業してから今日までの写真を、端末４を用いて位置情報と共に画像管理サーバ２に登録し、東京駅の場所を閲覧条件として設定する。ユーザが実際に東京駅へ行くと、携帯端末１で、東京駅の画像を時系列で閲覧することができる。
【００５８】
上記実施形態では、撮影条件又は閲覧条件で指定された領域内に存在しているか否かを携帯端末１で判定していたが、画像管理サーバ２が判定処理を行ってもよい。
【００５９】
上記説明は本発明の一例であり、本発明は上記以外の形態とされてもよい。
【符号の説明】
【００６０】
１  携帯端末
２  画像管理サーバ
３  アクセスポイント
【図１】
2019049833.tif 000003
【図２】
2019049833.tif 000004
【図３】
2019049833.tif 000005
【図４】
2019049833.tif 000006
【図５】
2019049833.tif 000007
【図６】
2019049833.tif 000008
【図７】
2019049833.tif 000009
【図８】
2019049833.tif 000010